(57)【特許請求の範囲】
【請求項１】
周波数が異なる複数の正弦波の信号を生成する多周波信号発生部（２１）と、
前記多周波信号発生部から出力される複数の信号を合成する合成器（４０）とを有する信号発生装置であって、
前記多周波信号発生部は、前記合成器に入力される各信号の位相を、第１状態と、該第１状態から所定量移相した第２状態のいずれかに切替える出力位相切替手段（３０）を有しており、該出力位相切替手段により前記合成器の出力信号の波高率を可変できるようにしたことを特徴とする信号発生装置。
【請求項２】
前記多周波信号発生部は、複数の周波数のうち指定された複数の周波数の正弦波の信号を出力させる周波数選択手段（３５）を有しており、
前記指定された複数の周波数の組合せに対応して前記合成器の出力信号の波高率が最小または所定値以下となるように前記出力位相切替手段の切替制御を行う制御部（５０）とを備えたことを特徴とする請求項１記載の信号発生装置。
【請求項３】
前記合成器に入力される各信号の周波数の組合せに対して、予め前記合成器の出力信号の波高率を最小または所定値以下にする各信号の位相の状態情報を記憶しているメモリ（５１）を有しており、
前記制御部は、前記指定された複数の周波数の組合せに対応した位相の状態情報を前記メモリから読み出し、該読み出した状態情報にしたがって前記出力位相切替手段の切替御御を行うことを特徴とする請求項２記載の信号発生装置。
【請求項４】
前記合成器の出力信号の波高率を検出する波高率検出手段（４５）を有しており、
前記制御部は、前記波高率検出手段によって検出された波高率が最小または所定値以下となるように前記出力位相切替手段の切替処理を行うことを特徴とする請求項２記載の信号発生装置。
【請求項５】
前記合成器に入力される各信号の周波数の組合せに対して、予め前記合成器の出力信号の波高率を最小または所定値以下にする各信号の位相の状態情報を記憶しているメモリ（５１）と、
前記合成器の出力信号の波高率を検出する波高率検出手段（４５）を有しており、
前記制御部は、前記波高率検出手段によって検出された波高率が最小または所定値以下となるように前記出力位相切替手段の切替処理を行い、該切替処理で得られた位相の状態情報を前記信号の周波数の組合せに対応付けて前記メモリに登録することを特徴とする請求項２記載の信号発生装置。
【発明の詳細な説明】
【技術分野】
【０００１】
本発明は、広帯域なアナログ信号の処理を行う各種装置の校正等に適した信号発生装置において、信号を与える装置側の入力特性に応じた信号を与えられるようにするための技術に関する。
【背景技術】
【０００２】
広帯域なアナログ信号を扱う装置、例えば、時間インタリーブ方式のＡ／Ｄ変換装置、スペクトルアナライザ等の周波数特性を調べたり、校正を行う場合に、異なる周波数成分を同時に含む信号を与える方法がある。
【０００３】
このような、異なる周波数成分を同時に含む信号は、例えば図７のように、複数の信号発生器１１１〜１１ｎからそれぞれ異なる周波数ｆ１〜ｆｎの単一（正弦波）の信号ｘ１〜ｘｎを発生させ、これらを合成器１２で加算して、図８のように、各周波数ｆ１〜ｆｎのそれぞれの信号のスペクトラムが存在する特性を有する合成信号ｙを得る方法が知られている。このようにして得られた合成信号ｙを用いることで、広帯域な信号の特性把握を短時間に行うことができる。なお、上記のように正弦波の信号を合成して広帯域な装置の校正などを行う信号発生装置は、次の特許文献１の図４に示されている。
【０００４】
【特許文献１】特許第３９８４２８４号公報
【発明の開示】
【発明が解決しようとする課題】
【０００５】
しかしながら、上記のように複数の信号を単純に加算合成した場合、各信号の位相が揃ったタイミングで合成信号ｙの波高率が異常に大きくなって、合成信号ｙを与える対象装置に過大な信号が瞬間的に入力されて装置内で歪が生じる恐れがある。また、それを防ぐために入力信号を減衰器で減衰すると、それに応じて入力信号の平均レベルが低下してしまい、Ｓ／Ｎが低くなってしまう。
【０００６】
本発明は、この問題を解決して、合成信号の波高率を、対象装置に応じて可変できるようにした信号発生装置を提供することを目的としている。
【課題を解決するための手段】
【０００７】
前記目的を達成するために、本発明の請求項１の信号発生装置は、
周波数が異なる複数の正弦波の信号を生成する多周波信号発生部（２１）と、
前記多周波信号発生部から出力される複数の信号を合成する合成器（４０）とを有する信号発生装置であって、
前記多周波信号発生部は、前記合成器に入力される各信号の位相を、第１状態と、該第１状態から所定量移相した第２状態のいずれかに切替える出力位相切替手段（３０）を有しており、該出力位相切替手段により前記合成器の出力信号の波高率を可変できるようにしたことを特徴とする。
【０００８】
また、本発明の請求項２の信号発生装置は、請求項１記載の信号発生装置において、
前記多周波信号発生部は、複数の周波数のうち指定された複数の周波数の正弦波の信号を出力させる周波数選択手段（３５）を有しており、
前記指定された複数の周波数の組合せに対応して前記合成器の出力信号の波高率が最小または所定値以下となるように前記出力位相切替手段の切替制御を行う制御部（５０）とを備えたことを特徴とする。
【０００９】
また、本発明の請求項３の信号発生装置は、請求項２記載の信号発生装置において、
前記合成器に入力される各信号の周波数の組合せに対して、予め前記合成器の出力信号の波高率を最小または所定値以下にする各信号の位相の状態情報を記憶しているメモリ（５１）を有しており、
前記制御部は、前記指定された複数の周波数の組合せに対応した位相の状態情報を前記メモリから読み出し、該読み出した状態情報にしたがって前記出力位相切替手段の切替御御を行うことを特徴とする。
【００１０】
また、本発明の請求項４の信号発生装置は、請求項２記載の信号発生装置において、
前記合成器の出力信号の波高率を検出する波高率検出手段（４５）を有しており、
前記制御部は、前記波高率検出手段によって検出された波高率が最小または所定値以下となるように前記出力位相切替手段の切替処理を行うことを特徴とする。
【００１１】
また、本発明の請求項５の信号発生装置は、請求項２記載の信号発生装置において、
前記合成器に入力される各信号の周波数の組合せに対して、予め前記合成器の出力信号の波高率を最小または所定値以下にする各信号の位相の状態情報を記憶しているメモリ（５１）と、
前記合成器の出力信号の波高率を検出する波高率検出手段（４５）を有しており、
前記制御部は、前記波高率検出手段によって検出された波高率が最小または所定値以下となるように前記出力位相切替手段の切替処理を行い、該切替処理で得られた位相の状態情報を前記信号の周波数の組合せに対応付けて前記メモリに登録することを特徴とする。
【発明の効果】
【００１２】
このように本発明の信号発生装置は、合成器に入力される信号の位相を、第１状態からその第１の状態に対して所定量移相した第２状態のいずれかに切替えることができるので、合成器の出力信号の波高率を変化させることができ、対象装置に応じた波高率の合成信号を対象装置に与えることができる。
【発明を実施するための最良の形態】
【００１３】
以下、図面に基づいて本発明の実施の形態を説明する。
図１は、本発明を適用した信号発生装置２０の構成を示している。
【００１４】
図１において、多周波信号発生部２１は、周波数が異なる複数ｎの正弦波の信号を生成して、合成器４０に出力する。
【００１５】
ここで、多周波信号発生部２１の構成は任意であるが、少なくとも合成器４０に出力することができる複数ｎの信号ｘ１（＊）〜ｘｎ（＊）の位相を、第１状態（以下、基準状態）と、その基準状態から所定量（ここでは１８０度とする）移相した第２状態（以下、反転状態）のいずれかに切替える出力位相切替手段３０を有しており、その出力位相切替手段３０により合成器４０の出力信号ｙの波高率を可変できるようにしている。
【００１６】
図１に示した多周波信号発生部２１の構成例では、２相信号発生手段２２により、複数ｎの異なる周波数ｆ１〜ｆｎごとに互いに位相が反転した正弦波の２相信号［ｘ１（０），ｘ１（π）］〜［ｘｎ（０），ｘｎ（π）］を生成し、これを複数ｎのスイッチ３０ａからなる出力位相切替手段３０に入力して、各周波数についてそれぞれ基準状態の信号ｘｉ（０）または反転状態の信号ｘｉ（π）のいずれかｘｉ（＊）を選択的に出力させる（ｉ＝１〜ｎ）。
【００１７】
出力位相切替手段３０から出力される各周波数の信号ｘ１（＊）〜ｘｎ（＊）は、周波数選択手段３５に入力され、周波数情報Ｆにより指定された周波数についての信号のみが選択的に出力される。
【００１８】
２相信号発生手段２２の構成としては種々可能であるが、出力する信号の周波数が特定周波数の整数倍の場合には、信号に対する分周処理や逓倍処理を用いて実現できる。
【００１９】
分周方式の２相信号発生手段２２の構成例を図２に示す。
この２相信号発生手段２２は、パルス信号発生器２３から出力された周波数ｆｐのパルス信号を、複数ｎ段接続された反転出力端子付きの分周比Ｍの分周器２４１〜２４ｎによって、ｆｐ／Ｍ〜ｆｐ／Ｍｎの周波数の矩形波の２相信号［ｘ１（０）′，ｘ１（π）′］〜［ｘｎ（０）′，ｘｎ（π）′］を得て、バンドパス型あるいはローパス型のフィルタ２５１〜２５ｎ、２６１〜２６ｎにより、基本波成分の正弦波の信号を［ｘ１（０），ｘ１（π）］〜［ｘｎ（０），ｘｎ（π）］を抽出する。
【００２０】
上記分周器２４１〜２４ｎの分周比Ｍは、例えば２、４、８等であるが、各分周器２４１〜２ｎの内部の初期状態を常に同一にする（初期にリセット処理を行う）ことで、矩形波の２相信号［ｘ１（０）′，ｘ１（π）′］〜［ｘｎ（０）′，ｘｎ（π）′］の間の位相関係を固定することができる。
【００２１】
なお、ここでは一つの周波数に対して２つのフィルタ２５、２６を用いているが、矩形波の２相信号［ｘ１（０）′，ｘ１（π）′］〜［ｘｎ（０）′，ｘｎ（π）′］を、前記出力位相切替手段３０に入力し、その出力信号ｘ１（＊）′〜ｘｎ（＊）′の基本波成分をフィルタにより抽出してもよい。
【００２２】
逓倍方式の２相信号発生手段２２の構成例を図３に示す。
この２相信号発生部２２は、周波数ｆｒの共通の基準信号Ｒを用いるＰＬＬ構成の逓倍器２７１〜２７ｎにより、基準信号Ｒに位相同期し、且つ基準信号Ｒの周波数ｆｒの整数倍Ｍ１〜Ｍｎの周波数ｆ１（＝Ｍ１・ｆｒ）〜ｆｎ（＝Ｍｎ・ｆｒ）の正弦波の信号ｘ１〜ｘｎを生成し、その信号そのものを第１状態（基準状態）の信号とし、それを利得１の反転アンプ２８１〜２８ｎで反転したもの第２状態（反転状態）の信号として出力する。
【００２３】
ここでＰＬＬ構成の逓倍器２７１〜２７ｎは、一般的にＶＣＯの出力信号を分周器で分周し、その分周出力の位相を基準信号Ｒにロックさせるものであり、分周器の初期状態を常に同一にする（初期にリセット処理を行う）ことで各信号ｘ１〜ｘｎの位相関係を固定することができる。
【００２４】
上記の分周方式と逓倍方式の２相信号発生手段２２の構成は一例であり、分周と逓倍の両方を用いてもよく、本発明を限定するものではない。また、多周波信号発生部２１の全体構成も図１の形態に限定されるものではなく、出力する各信号の位相の切替を行うための出力位相切替手段３０を有する構成であれば任意である。
【００２５】
また、ここでは理解し易いように、周波数選択手段３５を合成器４０に出力する信号のオンオフを行うスイッチ３５ａで構成した例を示したが、２相信号発生手段２２の出力信号ラインをスイッチングしてもよく、また２相信号発生手段２２の内部回路の電源をオンオフして出力する信号の周波数を選択する構成であってよい。また、周波数選択手段３５を設けない構成、即ち、生成した複数の信号の全てを合成器４０で合成する構成であってもよい。
【００２６】
このようにして合成器４０に対し周波数が異なる複数の信号を与えたときに、合成器４０で加算されて出力される合成信号ｙの信号波形は、各合成器４０に入力される各信号の位相関係によって大きく変化し、入力する信号の多くがあるタイミングで同相になると、合成信号ｙの瞬時振幅が非常に大きくなり、この対象装置の許容入力レベルを越えてしまう場合がある。
【００２７】
ただし、この実施形態の信号発生装置２０では、前記したように、合成器４０に入力される各信号の位相を、基準状態とそれを反転した反転状態のいずれかに切替えることができるので、例えば合成信号ｙの波形をオシロスコープ等で観測しながら、出力位相切替手段３０の各スイッチ３０ａを例えば図示しない操作部によりマニュアル操作で切替え、合成信号ｙの波高率が最小あるいは所定値以下となるように各信号の位相状態を設定することができる。
【００２８】
また、この実施形態では、上記処理を自動で行えるように、合成信号ｙを受けてその波高率に対応した値ｈを検出する波高率検出手段４５と、制御部５０と、メモリ５１とが設けられている。
【００２９】
波高率検出手段４５は、例えば合成信号ｙの振幅の平均値ＡａとピークＡｐの比Ａｐ／Ａｓを前記値ｈとして求めて制御部５０に出力する。
【００３０】
制御部５０は、周波数指定情報Ｆ、波高値情報Ｈおよび波高率検出手段４５の出力値ｈを受けて、出力位相切替手段３０および周波数選択手段３５の切替制御、メモリ５１への登録・読出処理を行うものである。
【００３１】
この制御部５０は、動作モードとして、装置の出荷前等に各周波数の組合せにそれぞれ対応した位相の状態情報をメモリ５１に登録する第１モード、指定された周波数の組合せに対応した位相の状態情報をメモリ５１から読み出し、その状態情報にしたがって出力位相切替手段３０を切替制御する第２モード、合成信号ｙの波高率が、指定された波高率Ｈに等しくなるまたは最小となるように制御する第３モードを有している。
【００３２】
前記第１モードが指定された場合、制御部５０は、各周波数ｆ１〜ｆｎの信号の全ての組合せに応じて周波数選択手段３５を設定し、波高率検出手段４５によって得られた値ｈが最小となる各信号の位相状態の組合せ情報を周波数の組合せに対応付けてメモリ５１に登録する。この処理により、周波数の組合せとその周波数の信号の合成により得られた合成信号ｙの波高率が最小となる各信号の位相の状態情報が得られ、メモリ５１に登録されることになる。
【００３３】
上記登録処理が終了している状態で、前記第２モードが指定され、周波数情報Ｆが入力されると、制御部５０は、その周波数情報Ｆに対応した位相の状態情報をメモリ５１から読み出し、それにしたがって出力位相切替手段３０の各スイッチ３０ａを設定する。
【００３４】
したがって、合成器４０から出力される合成信号ｙの波高率は最小値に設定されることになり、その合成信号ｙを減衰させることなく対象装置へ入力させることができ、高Ｓ／Ｎの試験が行える。
【００３５】
また、第３モードが指定されて、例えば所望の波高率に対応した値Ｈが指定された場合、制御部５０は、出力位相切替手段２２の状態を順次可変して、波高率検出手段４５の出力値ｈが指定値Ｈとほぼ等しくなる状態に設定する。
【００３６】
このモードでは、指定値Ｈを変化させることで、合成信号ｙの波高率が変化することになるので、対象装置の入力信号の波高率変化に対する耐力特性等を求めることができる。
【００３７】
また、この第３モードで、指定値Ｈを例えば０（無指定）にすると、制御部５０は出力位相切替手段２２の状態を順次可変して、波高率検出手段４５の出力値ｈが最小あるいは対象装置の許容される波高率に対応した値以下となるように設定する。ただし、その登録は行わない。このモードは、例えば合成器４０が、内部で生成した信号と外部装置からの任意の信号Ｅｘｔ（図１の点線参照）とを合成する場合等に用いることができる。
【００３８】
また、上記のように各周波数の信号の位相関係が固定されている場合には、その周波数の組合せに対応した位相の状態情報を予め求めて記憶し、これを読み出して用いることで常に波高率が最小の合成信号ｙを出力させることができるが、各周波数の信号の位相関係が不定の場合には、このメモリ５１への登録、読出は利用できないので、上記第３モードのみで波高率が所望値あるいは最小の合成信号ｙを生成することになる。
【００３９】
また、上記説明では合成器４０から出力された合成信号ｙの波高率を検出してそれが最小あるいは所望値となる各信号の位相状態を求めていたが、各信号の振幅、周波数および初期位相（基準状態の位相）が既知であれば、実際の合成信号ｙの波高率を検出しなくても、周波数が異なる信号の各組合せについて、各信号の位相の状態をいずれかに変化させたときの合成信号波形を計算（シミュレーション）で求め、波高率が最小または所望値となるような位相の状態情報を特定することができる。
【００４０】
この場合、各信号について変化させる位相は２つの状態だけで済むので、短時間に計算結果を得ることができ効率的である。したがって、上記シミュレーションを用いて得られた位相の状態情報をメモリ５１に登録して用いる構成だけでなく、指定された周波数の組合せについて、その都度上記シミュレーションにより合成信号波形を求め、波高率が最小あるいは所望値となるような位相の状態情報を求め、その状態情報に応じて出力位相切替手段３０を切替制御する構成も可能である。
【００４１】
次に、実際に得られた合成信号の波形を示す。
図４は、周波数間隔が４７．５ＭＨｚで、４７．５ＭＨｚ〜７６０ＭＨｚまでの１６波の正弦波の信号を用い、各信号の初期タイミングの振幅値が０ボルトをクロスし、且つ同相となるように出力位相切替手段３０を設定した場合の合成信号ｙの実波形を示している。
【００４２】
この場合、各信号の位相の状態は全て基準状態（情報０とする）であるため、それを表す状態情報Φは周波数が低い方から[００００００００００００００００]となる。
【００４３】
このように各信号の位相があるタイミング毎に同相で揃った場合の波高率は最大（波高率約４．２）となり、この合成信号ｙのピークレベルが対象装置の許容入力レベルを越える可能性が高くなるので、減衰して与える必要があり、その減衰により平均レベルが低下してしまう。
【００４４】
上記同一条件で、状態情報Φを［００１１１１１１０１１００１０１］に設定した場合の合成信号ｙの実波形を図５に示す（情報１は反転状態を示す）。
【００４５】
図５の波形は合成信号ｙの波高率が最小となったときのものであり、図４の波形に対して波高率は約１．６となり、図４の波形と同一の周波数成分を含みながらその平均レベルが拡大に高くなっており、このような信号を用いることで、対象装置の試験や校正を高いＳ／Ｎで正確に行うことができる。
【００４６】
なお、前記実施形態では、合成器に入力される各信号の位相を、第１状態（基準状態）とそれを反転した第２状態のいずれかにしていたが、これは位相反転した信号が分周器の出力やアンプにより容易に得られることを利用して構成を容易にしたものであるが、必ずしも位相が反転した信号を用いる必要はなく、異なる位相であればよい。また、多周波信号発生部２２の構成例として、例えばパルス信号に含まれる基本波と高調波とをフィルタで抽出するような場合、パルス信号の位相を反転させても、フィルタによって抽出される高調波信号の位相は反転するとは限らないが、位相変化は生じるのでその場合でも２相信号を生成することが可能である。
【００４７】
上記構成の信号発生装置２０の用途は、広帯域な特性を有する各種装置の校正などに使用できる。図６はその一例を示すものであり、前記した特許文献１に示されたものと同等の時間インタリーブ方式のＡ／Ｄ変換装置１２０の構成を示す図である。
【００４８】
このＡ／Ｄ変換装置１２０は、被測定信号ｘ（ｔ）を入力するための入力端子１１０ａと、較正用信号ｒ（ｔ）を発生する信号発生器１２５と、複数Ｎ個のＡ／Ｄ変換器１１２と、入力端子１１０ａから入力される被測定信号ｘ（ｔ）と信号発生器１２５から出力される較正用信号ｒ（ｔ）のいずれかを選択するスイッチ１２１と、前記スイッチ１２１によって選択された信号を複数Ｎ個に分配して複数Ｎ個のＡ／Ｄ変換器１１２にそれぞれ入力させる信号分配器１１１と、複数Ｎ個のＡ／Ｄ変換器１１２に対し、周期Ｔｓで且つ位相がＴｓ／Ｎずつシフトしたサンプリングクロックをそれぞれ与えるサンプリング制御部１１３と、入力端子１１０ａへの入力から複数Ｎ個のＡ／Ｄ変換器１１２での変換処理までの、振幅の周波数特性及び位相の周波数特性の少なくとも一つに差異があることによって生じる、複数Ｎ個のＡ／Ｄ変換器１１２が出力する各信号間の誤差を補正するために必要な補正情報を記憶する補正情報メモリ１３５と、被測定信号ｘ（ｔ）を受けて複数Ｎ個のＡ／Ｄ変換器１１２が出力する各信号に対し、補正情報メモリ１３５に記憶されている補正情報により補正処理を行う補正処理部１３０と、信号発生器１２５から出力される所定の較正用信号を受けて複数Ｎ個のＡ／Ｄ変換器１１２が出力する各信号についてスペクトラム解析処理を行って複数の信号成分の振幅と位相を算出し、当該算出した結果に基づいて補正情報を新たに求め、当該新たに求めた補正情報により補正情報メモリ１３５の内容を更新する補正情報算出部１４１とを有している。
【００４９】
ここで、信号発生器１２５は、複数Ｎ個のＡ／Ｄ変換器１１２にそれぞれ与えられるサンプリングクロックの周波数ＦｓのＮ／２倍を上限とする帯域内の所望の周波数にそれぞれ位置する複数の信号成分であって、前記各Ａ／Ｄ変換器１１２のサンプリングによって前記サンプリングクロックの周波数Ｆｓの１／２を上限とする帯域内に互いに異なる周波数で現れる前記複数の信号成分を含む前記較正用信号を出力するように構成されている。
【００５０】
このＡ／Ｄ変換装置１２０の入力端子１１０ａに入力されるアナログの被測定信号ｘ（ｔ）は、スイッチ１２１の一方の接点を介して信号分配器１１１に入力される。
【００５１】
この信号分配器１１１により複数Ｎ本の信号経路に分岐されたアナログの被測定信号ｘ（ｔ）の各分岐信号ｘ０（ｔ）〜ｘＮ−１（ｔ）は、複数Ｎ個のＡ／Ｄ変換器１１２０〜１１２Ｎ−１にそれぞれ入力される。
【００５２】
サンプリング制御部１１３は、周期Ｔｓ（周波数Ｆｓ）でＴｓ／Ｎ時間ずつ位相がシフトされたＮ個のサンプリングクロックＣ０〜ＣＮ−１をそれぞれＮ個のＡ／Ｄ変換器１１２０〜１１２Ｎ−１に与えることにより、そのサンプリングクロックに同期したサンプリングを各Ａ／Ｄ変換器１１２０〜１１２Ｎ−１に行わせる。
【００５３】
スイッチ１２１の他方の接点には、較正用信号ｒ（ｔ）を発生する信号発生器１２５が接続されている。
【００５４】
このスイッチ１２１の切り換えにより、入力端子１１０ａから入力された被測定信号ｘ（ｔ）と信号発生器１２５から出力された較正用信号ｒ（ｔ）とのいずれかが選択されて信号分配器１１１へ入力される。
【００５５】
なお、入力端子１１０ａとスイッチ１２１の間、信号発生器１２５とスイッチ１２１の間及び信号分配器１１１とスイッチ１２１の間には、スイッチ１２１によるインピーダンスの乱れを抑えるための減衰器１２２ａ、１２２ｂ、１２２ｃがそれぞれ挿入されている。
【００５６】
これらの減衰器１２２ａ、１２２ｂ、１２２ｃの減衰量は数ｄＢ〜１０数ｄＢ程度であって、通過信号を若干減衰させる不利さはあるが、これらの減衰器１２２ａ、１２２ｂ、１２２ｃは、スイッチ１２１の不整合による反射成分を大きく抑圧して、後述するように、各Ａ／Ｄ変換器１１２０〜１１２Ｎ−１による被測定信号ｘ（ｔ）及び較正用信号ｒ（ｔ）に対するＡ／Ｄ変換処理を安定に且つ再現性よく行わせるのに寄与する。
【００５７】
信号発生器１２５は、周波数が異なる複数の信号成分を同時に含む信号を較正用信号として発生するものである。この信号発生器１２５からの較正用信号に含まれる複数Ｍの周波数成分として要求される条件は、サンプリング周波数ＦｓのＮ／２倍を上限とするＡ／Ｄ変換装置１２０全体としての入力周波数帯域の特性を調べるため、その周波数帯域をほぼ均等に分けるような間隔で存在する必要があるということであり、上記実施形態の信号発生装置２０を用いて実現することができる。
【００５８】
この信号発生器１２５として前記実施形態の信号発生装置２０を用い、各Ａ／Ｄ変換器１１２０〜１１２Ｎ−１に対して、波高率が最小または所望値または所定値以下となるような位相の状態を設定して与えることで、各Ａ／Ｄ変換器１１２０〜１１２Ｎ−１を高いＳ／Ｎ状態で動作させることができ、前記した補正処理等を正確に行うことができる。なお、各信号の周波数の設定条件、補正処理等については特許文献１と同等である。
【図面の簡単な説明】
【００５９】
【図１】本発明の実施形態の構成を示す図
【図２】実施形態の要部の構成図
【図３】実施形態の要部の構成図
【図４】全て信号の位相を同一状態に設定したときの合成信号の実波形を示す図
【図５】波高率が最小となるように位相状態を設定したときの合成信号の実波形を示す図
【図６】実施形態の装置が適用可能なインタリーブ方式のＡ／Ｄ変換装置の構成図
【図７】従来装置の構成図
【図８】合成信号のスペクトラム図
【符号の説明】
【００６０】
２０……信号発生装置、２１……多周波信号発生部、２２……２相信号発生手段、２３……パルス信号発生器、２４……分周器、２５、２６……フィルタ、２７……逓倍器、２８……反転アンプ、３０……出力位相切替手段、３０ａ……スイッチ、３５……周波数選択手段、４０……合成器、４５……波高率検出手段、５０……制御部、５１……メモリ、１１１……信号分配器、１１２……Ａ／Ｄ変換器、１１３……サンプリング制御部、１１４……信号切換器、１２０……Ａ／Ｄ変換装置、１２１……スイッチ、１２５……信号発生器、１３０……補正処理部、１３５……補正情報メモリ、１４０……制御部、１４１……補正情報算出部
【図１】
0004881904.tif 000002
【図２】
0004881904.tif 000003
【図３】
0004881904.tif 000004
【図４】
0004881904.tif 000005
【図５】
0004881904.tif 000006
【図６】
0004881904.tif 000007
【図７】
0004881904.tif 000008
【図８】
0004881904.tif 000009